(57)【要約】  本発明は、チャネルリソース決定及びリソースマッピングための方法及び装置を開示し、これにより、ユーザ機器は、短いＴＴＩの制御領域に用いられるリソース集合内の前記ユーザ機器の制御チャネルに用いられるリソース位置を決定する。本発明に係るチャネルリソース決定ための方法では、ユーザ機器は、伝送時間間隔が短い制御領域に用いられるリソース集合を決定し、前記ユーザ機器は、前記リソース集合において、前記ユーザ機器の制御チャネルに用いられるリソース位置を決定する。
2019530377.tif 000002
【特許請求の範囲】
【請求項１】
ユーザ機器は、伝送時間間隔が短い制御領域に用いられるリソース集合を決定するステップと、
前記ユーザ機器は、前記リソース集合において、前記ユーザ機器の制御チャネルに用いられるリソース位置を決定することを特徴とするチャネルリソース決定ための方法。
【請求項２】
前記ユーザ機器は、伝送時間間隔が短い制御領域に用いられるリソース集合を決定する場合、
前記ユーザ機器は、上位層シグナリングにより、伝送時間間隔が短い制御領域に用いられるリソース集合を取得し、
または、前記ユーザ機器は、レガシー制御領域（ｌｅｇａｃｙ  ｃｏｎｔｒｏｌ  ｒｅｇｉｏｎ）に含まれる情報により、伝送時間間隔が短い制御領域に用いられるリソース集合を取得し、
または、前記ユーザ機器は、ネットワーク側との事前の約定により、伝送時間間隔が短い制御領域に用いられるリソース集合を決定することを特徴とする請求項１に記載のチャネルリソース決定ための方法。
【請求項３】
前記ユーザ機器は、前記ユーザ機器の制御チャネルに用いられるリソース位置において、前記ユーザ機器の制御チャネルをブラインド検出することを特徴とする請求項１に記載のチャネルリソース決定ための方法。
【請求項４】
基地局は、ユーザ機器の伝送時間間隔が短い制御領域に用いられるリソース集合を決定し、
前記基地局は、前記リソース集合に基づき、前記ユーザ機器のために、短い伝送時間間隔場合の制御チャネルをリソースにマッピングすることを特徴とするリソースマッピングための方法。
【請求項５】
前記リソース集合は、前記ユーザ機器と事前に約定されたリソース集合であることを特徴とする請求項４に記載のリソースマッピングための方法。
【請求項６】
前記基地局は、前記リソース集合を前記ユーザ機器に通知することを特徴とする請求項４に記載のリソースマッピングための方法。
【請求項７】
前記基地局は、前記リソース集合を前記ユーザ機器に通知する場合、
前記基地局は、上位層シグナリングにより、前記ユーザ機器の伝送時間間隔が短い制御領域に用いられるリソース集合を前記ユーザ機器に通知し、
または、前記基地局は、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知することを特徴とする請求項６に記載のリソースマッピングための方法。
【請求項８】
前記基地局は、上位層シグナリングにより、前記ユーザ機器の伝送時間間隔が短い制御領域に用いられるリソース集合を前記ユーザ機器に通知する場合、前記上位層シグナリングにより、サブフレーム内の全ての伝送時間間隔が短い制御領域が同一のリソース集合に存在することを通知し、または、前記上位層シグナリングにより、サブフレーム内の各伝送時間間隔が短い制御領域に用いられるリソース集合を通知することを特徴とする請求項７に記載のリソースマッピングための方法。
【請求項９】
前記基地局が、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記伝送時間間隔が短い制御領域に用いられるリソース集合を通知する場合、前記サブフレーム内の全ての伝送時間間隔が短い制御領域に用いられるリソース集合は、前記情報により指定され、または、前記情報により、前記ｌｅｇａｃｙ  ｃｏｎｔｒｏｌ  ｒｅｇｉｏｎにおいて、前記サブフレームに現れた各伝送時間間隔が短い制御領域に用いられるリソース集合情報それぞれを通知することを特徴とする請求項７に記載のリソースマッピングための方法。
【請求項１０】
前記伝送時間間隔が短い制御領域に用いられるリソース集合は、伝送時間間隔が短い周波数領域上のＮ個のリソースブロックグループまたはＰ個のリソースブロックより構成され、各リソースブロックグループにはＭ個のリソースブロックが含まれ、Ｎ、Ｐ、Ｍは正整数であることを特徴とする請求項４ないし請求項９のいずれか１項に記載のリソースマッピングための方法。
【請求項１１】
前記Ｎ個のリソースブロックグループは、連続的または離散的であり、または、前記Ｐ個のリソースブロックは、連続的または離散的であることを特徴とする請求項１０に記載のリソースマッピングための方法。
【請求項１２】
伝送時間間隔が短い制御領域に用いられるリソース集合を決定する第１決定ユニットと、
前記リソース集合において、ユーザ機器の制御チャネルに用いられるリソース位置を決定する第２決定ユニットとを備えることを特徴とするチャネルリソース決定ための装置。
【請求項１３】
前記第１決定ユニットは、
上位層シグナリングにより、伝送時間間隔が短い制御領域に用いられるリソース集合を取得し、
または、レガシー制御領域（ｌｅｇａｃｙ  ｃｏｎｔｒｏｌ  ｒｅｇｉｏｎ）に含まれる情報により、伝送時間間隔が短い制御領域に用いられるリソース集合を取得し、
または、ネットワーク側との事前の約定により、伝送時間間隔が短い制御領域に用いられるリソース集合を決定することを特徴とする請求項１２に記載のチャネルリソース決定ための装置。
【請求項１４】
前記第２決定ユニットは、前記ユーザ機器の制御チャネルに用いられるリソース位置において、前記ユーザ機器の制御チャネルをブラインド検出することを特徴とする請求項１２に記載のチャネルリソース決定ための装置。
【請求項１５】
ユーザ機器の伝送時間間隔が短い制御領域に用いられるリソース集合を決定する第１ユニットと、
前記リソース集合に基づき、前記ユーザ機器のために、短い伝送時間間隔場合の制御チャネルをリソースにマッピングする第２ユニットとを備えることを特徴とするリソースマッピングための装置。
【請求項１６】
前記リソース集合は、前記ユーザ機器と事前に約定されたリソース集合であることを特徴とする請求項１５に記載のリソースマッピングための装置。
【請求項１７】
前記第１ユニットは、前記リソース集合を前記ユーザ機器に通知することを特徴とする請求項１５に記載のリソースマッピングための装置。
【請求項１８】
前記第１ユニットは、
上位層シグナリングにより、前記ユーザ機器の伝送時間間隔が短い制御領域に用いられるリソース集合を前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知することを特徴とする請求項１７に記載のリソースマッピングための装置。
【請求項１９】
上位層シグナリングにより、前記ユーザ機器の伝送時間間隔が短い制御領域に用いられるリソース集合を前記ユーザ機器に通知する場合、前記第１ユニットは、前記上位層シグナリングにより、サブフレーム内の全ての伝送時間間隔が短い制御領域が同一のリソース集合に存在することを通知し、または、前記第１ユニットは、前記上位層シグナリングにより、サブフレーム内の各伝送時間間隔が短い制御領域に用いられるリソース集合を通知することを特徴とする請求項１８に記載のリソースマッピングための装置。
【請求項２０】
前記第１ユニットが、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知する場合、前記サブフレーム内の全ての伝送時間間隔が短い制御領域のリソース集合は、前記情報により指定されるか、または、前記第１ユニットは、前記情報により、前記ｌｅｇａｃｙ  ｃｏｎｔｒｏｌ  ｒｅｇｉｏｎにおいて、前記サブフレームに現れた各伝送時間間隔が短い制御領域に用いられるリソース集合情報それぞれを通知することを特徴とする請求項１８に記載のリソースマッピングための装置。
【請求項２１】
前記伝送時間間隔が短い制御領域に用いられるリソース集合は、伝送時間間隔が短い周波数領域上のＮ個のリソースブロックグループまたはＰ個のリソースブロックより構成され、各リソースブロックグループにはＭ個のリソースブロックが含まれ、Ｎ、Ｐ、Ｍは正整数であることを特徴とする請求項１５ないし請求項２０のいずれか１項に記載のリソースマッピングための装置。
【請求項２２】
前記Ｎ個のリソースブロックグループは、連続的または離散的であり、または、前記Ｐ個のリソースブロックは、連続的または離散的であることを特徴とする請求項２１に記載のリソースマッピングための装置。
【請求項２３】
プロセッサは、メモリに格納されたプログラムを読み出し、
伝送時間間隔が短い制御領域に用いられるリソース集合を決定し、前記リソース集合において、ユーザ機器の制御チャネルに用いられるリソース位置を決定し、
送受信機は、プロセッサの制御によりデータを送受信することを特徴とするチャネルリソース決定ための装置。
【請求項２４】
前記プロセッサは、
上位層シグナリングにより、伝送時間間隔が短い制御領域に用いられるリソース集合を取得し、
または、レガシー制御領域（ｌｅｇａｃｙ  ｃｏｎｔｒｏｌ  ｒｅｇｉｏｎ）に含まれる情報により、伝送時間間隔が短い制御領域に用いられるリソース集合を取得し、
または、ネットワーク側との事前の約定により、伝送時間間隔が短い制御領域に用いられるリソース集合を決定することを特徴とする請求項２３に記載のチャネルリソース決定ための装置。
【請求項２５】
前記プロセッサは、
前記ユーザ機器の制御チャネルに用いられるリソース位置において、前記ユーザ機器の制御チャネルをブラインド検出することを特徴とする請求項２３に記載のチャネルリソース決定ための装置。
【請求項２６】
プロセッサと、メモリと、送受信機とを備え、
前記プロセッサは、メモリに格納されたプログラムを読み出し、
ユーザ機器の伝送時間間隔が短い制御領域に用いられるリソース集合を決定し、前記リソース集合に基づき、前記ユーザ機器のために、短い伝送時間間隔場合の制御チャネルをリソースにマッピングし、
前記送受信機は、プロセッサの制御によりデータを送受信することを特徴とするリソースマッピングための装置。
【請求項２７】
前記リソース集合は、前記ユーザ機器と事前に約定されたリソース集合であることを特徴とする請求項２６に記載のリソースマッピングための装置。
【請求項２８】
前記プロセッサは、
前記リソース集合を前記ユーザ機器に通知することを特徴とする請求項２６に記載のリソースマッピングための装置。
【請求項２９】
前記プロセッサは、
上位層シグナリングにより、前記ユーザ機器の伝送時間間隔が短い制御領域に用いられるリソース集合を前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知することを特徴とする請求項２８に記載のリソースマッピングための装置。
【請求項３０】
上位層シグナリングにより、前記ユーザ機器の伝送時間間隔が短い制御領域に用いられるリソース集合を前記ユーザ機器に通知する場合、前記プロセッサは、前記上位層シグナリングにより、サブフレーム内の全ての伝送時間間隔が短い制御領域が同一のリソース集合に存在することを通知するか、または、前記プロセッサは、前記上位層シグナリングにより、サブフレーム内の各伝送時間間隔が短い制御領域に用いられるリソース集合を通知することを特徴とする請求項２９に記載のリソースマッピングための装置。
【請求項３１】
前記プロセッサが、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知する場合、前記サブフレーム内の全ての伝送時間間隔が短い制御領域のリソース集合は、前記情報により指定されるか、または、前記プロセッサは、前記情報により、前記ｌｅｇａｃｙ  ｃｏｎｔｒｏｌ  ｒｅｇｉｏｎにおいて、前記サブフレームに現れた各伝送時間間隔が短い制御領域に用いられるリソース集合情報それぞれを通知することを特徴とする請求項２９に記載のリソースマッピングための装置。
【請求項３２】
前記伝送時間間隔が短い制御領域に用いられるリソース集合は、伝送時間間隔が短い周波数領域上のＮ個のリソースブロックグループまたはＰ個のリソースブロックより構成され、各リソースブロックグループにはＭ個のリソースブロックが含まれ、Ｎ、Ｐ、Ｍは正整数であることを特徴とする請求項２６ないし請求項３１のいずれか１項に記載のリソースマッピングための装置。
【請求項３３】
前記Ｎ個のリソースブロックグループは、連続的または離散的であり、または、前記Ｐ個のリソースブロックは、連続的または離散的であることを特徴とする請求項３２に記載のリソースマッピングための装置。
【発明の詳細な説明】
【技術分野】
【０００１】
本発明は通信技術分野に関し、特に、チャネルリソース決定及びリソースマッピングための方法及び装置に関する。
【背景技術】
【０００２】
モバイル技術が発展しているので、将来のモバイル通信システムは、より短いネットワーク遅延を提供し、より多様なサービスタイプをサポートするはずである。短い送信時間間隔（Ｔｒａｎｓｍｉｔｔｅｄ Ｔｉｍｅ Ｉｎｔｅｒｖａｌ，ＴＴＩ）は周波数領域において全システム帯域幅を占有しない傾向があるので、その制御領域はシステム帯域幅内のあるサブバンドに限定されることができるだけであり、ここで短いＴＴＩは１ミリ秒未満の伝送時間間隔を指す。しかしながら、これまで短いＴＴＩ場合の制御チャネルの送信帯域幅を決定するための解決策は存在しなかった。
【０００３】
モバイルインターネットは、そのユーザーに前例のないユーザ経験を提供し、そして我々の仕事および生活の多数の局面に深く影響を与え、レガシーモバイル通信サービスパラダイムを超えて転倒している。モバイルインターネットは我々の社会における情報交換モードの更なる向上を促進し、そして拡張現実、仮想現実、超高精細（３Ｄ）ビデオ、モバイルクラウド等を含むより多様なサービス経験をユーザーに提供する。モバイルインターネットの発展は、将来のモバイルトラフィックが１０００倍以上も増加すると予想され、モバイル通信技術と産業の新しい革命を促進することができる。モノのインターネットは、人と人とのコミュニケーションから、人と物とのモノの相互接続性まで、モバイル通信のサービス範囲を広げ、モバイル通信技術はより多くの産業と分野に浸透しています。将来的には、モバイル医療、自動車のインターネット、インテリジェント家電、産業用制御、環境モニタリングなどがモノのインターネットを介したアプリケーションの爆発的な成長を促進し、何千億ものデバイスがネットワークにアクセスするようになる。実際には、すべてのものが相互に関連しています。膨大な数の接続機器、モノのインターネットを介した多様なサービスも、モバイル通信に新たな技術的課題をもたらす。 
【０００４】
ますます多くの新しいサービス要求が絶えず出現しているので、より高い性能要求、例えば、高いピークレート、より高いユーザーエクスペリエンスレート、より短い遅延、高い信頼性、高いスペクトル効率、高いエネルギー消費効率などは、将来の移動通信システム用に提案されており、より多くのアクセス加入者をサポートし、様々なサービスタイプを提供することが望ましい。接続される膨大な数の端末、および異なるサービスタイプをサポートするために、アップリンクおよびダウンリンクリソースの柔軟な構成は、大きな技術開発トレンドとなることが予想される。将来のシステムリソースは、異なるサービスに従って異なるサブバンドに分割することができ、サブバンドは様々なサービス要求を満たすために異なる長さを有するＴＴＩに分割することができる。
【０００５】
フレーム構造タイプ１（ＦＳ１）は既存のロングタームエボリューション（Ｌｏｎｇ Ｔｅｒｍ Ｅｖｏｌｕｔｉｏｎ，ＬＴＥ）周波数分割複信（Ｆｒｅｑｕｅｎｃｙ Ｄｉｖｉｓｉｏｎ Ｄｕｐｌｅｘ，ＦＤＤ）システムに適用可能であり、その構造図を図１に示す。ＦＤＤシステムでは、アップリンク送信とダウンリンク送信とでは異なるキャリア周波数があり、アップリンク送信とダウンリンク送信とでは同じフレーム構造がある。各キャリアにおいて、長さ１０ｍｓの無線フレームは１０個の１ｍｓサブフレームを含み、各サブフレームは長さ０．５ｍｓの２つのタイムスロットを含む。アップリンクおよびダウンリンクのデータ伝送におけるＴＴＩの時間長は１ｍｓである。
【０００６】
図２に示すように、従来のＬＴＥ（ｌｏｎｇ Ｔｅｒｍ Ｅｖｏｌｕｔｉｏｎ） ＴＤＤ（Ｔｉｍｅ Ｄｉｖｉｓｉｏｎ Ｄｕｐｌｅｘ）システムは、フレーム構造タイプ２（ｆｒａｍｅ ｓｔｒｕｃｔｕｒｅ ｔｙｐｅ ２，ＦＳ２）を使用する。ＴＤＤシステムでは、アップリンク及びダウンリンク伝送は、同一周波数上で異なるサブフレームを使用するか、異なるタイムスロットを使用する。ＦＳ２の各１０ｍｓ無線フレームは２つの５ｍｓハーフフレームで構成され、各フレームには１ms長さの５つのサブフレームが含まれている。ＦＳ２のサブフレームは、ダウンリンクサブフレームと、サブフレームと、スペシャルサブフレームの３種類に分類される。スペシャルサブフレームはダウンリンクパイロットタイムスロット（ＤｗＰＴＳ，Ｄｏｗｎｌｉｎｋ Ｐｉｌｏｔ Ｔｉｍｅ Ｓｌｏｔ、ＤｗＰＴＳ）とガード期間（Ｇｕａｒｄ Ｐｅｒｉｏｄ、ＧＰ）とＵｐＰＴＳ（Ｕｐｌｉｎｋ Ｐｉｌｏｔ Ｔｉｍｅ Ｓｌｏｔ）３つの部分から構成されている。ダウンリンクパイロット、ダウンリンクサービスデータ、およびダウンリンク制御シグナリングをＤｗＰＴＳで送信することができる。ＧＰでは信号は送信されない。 ランダムアクセスおよびサウンディングリファレンスシンボル（Ｓｏｕｎｄｉｎｇ ｒｅｆｅｒｅｎｃｅ Ｓｙｍｂｏｌ，ＳＲＳ）のみがアップリンクサービスデータもアップリンク制御情報もＵｐＰＴＳにおいて送信され得ない。 各ハーフフレームは、少なくとも１つのダウンリンクサブフレーム、少なくとも１つのアップリンクサブフレーム、および最大で１つのスペシャルサブフレームを含む。表１は、ＦＳ２でサポートされている７つのアップリンクおよびダウンリンクサブフレーム構成を示す。
【０００７】
【表１】
2019530377.tif 000003
【０００８】
従来のＬＴＥでは、図３を参照すると、時間領域における最小リソース粒度は直交周波数分割多重（Ｏｒｔｈｏｇｏｎａｌ Ｆｒｅｑｕｅｎｃｙ Ｄｉｖｉｓｉｏｎ Ｍｕｌｔｉｐｌｅｘ，ＯＦＤＭ）シンボルであり、周波数領域における最小リソース粒度はサブキャリアである。
【０００９】
【数１】
2019530377.tif 000004
は、基本リソース要素（Ｒｅｓｏｕｒｃｅ Ｅｌｅｍｅｎｔ，ＲＥ）の番号である。ここで、
【数２】
2019530377.tif 000005
【００１０】
物理リソースブロック（Ｐｈｙｓｉｃａｌ Ｒｅｓｏｕｒｃｅ Ｂｌｏｃｋ，ＰＲＢ）は、ＲＥを含む高次元のリソース要素であり、
【数３】
2019530377.tif 000006
個のＲＥにより構成される。サブフレーム（ｓｕｂｆｒａｍｅ）に１個のＰＲＢペア（ｐａｉｒ）があり、ＰＲＢ ｐａｉｒはデータリソースを割り当てるための基本単位である。
【００１１】
スケジューリング情報および他の制御情報は、ＬＴＥシステムにおける物理ダウンリンク制御チャネル（Ｐｈｙｓｉｃａｌ Ｄｏｗｎｌｉｎｋ Ｃｏｎｔｒｏｌ Ｃｈａｎｎｅｌ，ＰＤＣＣＨ）により搬送される。各ダウンリンクサブフレームの制御領域は、複数のＰＤＣＣＨを含むことができ、制御領域のサイズは、１〜４個のＯＦＤＭシンボルを使用する物理制御フォーマット指示チャネル（ＰＣＦＩＣＨ）によって決定される。制御チャネルは、制御チャネル要素（Ｃｏｎｔｒｏｌ Ｃｈａｎｎｅｌ Ｅｌｅｍｅｎｔ，ＣＣＥ）または複数の連続したＣＣＥで送信され、各ＣＣＥは９つのリソース要素グループ（Ｒｅｓｏｕｒｃｅ Ｅｌｅｍｅｎｔ Ｇｒｏｕｐ，ＲＥＧ）を含み、ＰＤＣＣＨのＣＣＥ内のＲＥＧは、ＰＣＦＩＣＨ及びＰＨＩＣＨ（Ｐｈｙｓｉｃａｌ Ｈｙｂｒｉｄ ＡＲＱ Ｉｎｄｉｃａｔｏｒ Ｃｈａｎｎｅｌ）の搬送に使用されていないＲＥＧである。ＰＤＣＣＨはさまざまな要求を満たすためにいくつかのフォーマット（ｆｏｒｍａｔ）をサポートする。
【００１２】
ＰＤＣＣＨの容量を拡張するために、拡張物理ダウンリンク制御チャネル（ＥＰＤＣＣＨ）がリリース１１に導入される（Ｒｅｌ−１１）。 ＥＰＤＣＣＨ（Ｅｖｏｌｖｅｄ Ｐｈｙｓｉｃａｌ Ｄｏｗｎｌｉｎｋ Ｃｏｎｔｒｏｌ ＣＨａｎｎｅｌ）は、ＰＤＣＣＨの送信空間ではなく、サブフレーム内のデータ領域で送信される。ＰＤＣＣＨと類似し、拡張リソース要素グループ（Ｅｖｏｌｖｅｄ Ｒｅｓｏｕｒｃｅ Ｅｌｅｍｅｎｔ Ｇｒｏｕｐ，ＥＲＥＧ）および拡張制御チャネル要素（Ｅｖｏｌｖｅｄ Ｃｏｎｔｒｏｌ Ｃｈａｎｎｅｌ Ｅｌｅｍｅｎｔ，ＥＣＣＥ）の概念が従来技術においてさらに導入されている。
【００１３】
ＥＰＤＣＣＨ集合（ｓｅｔ）によってサポートされるアグリゲーションレベルは、ＰＲＤＢペアにおいてＥＰＤＣＣＨセットのタイプ、サブフレームタイプ、ＥＰＤＣＣＨを送信するためのＲＥの数等に応じて既存の規格において定義されている。
【００１４】
ＴＴＩの長さは１ｍｓに固定され、１つまたは複数のＰＤＣＣＨまたはＥＰＤＣＣＨが各ＴＴＩの最初のＮ個のＯＦＤＭシンボル、またはデータ領域内の１グループのＰＲＢペアで送信され、ユーザ機器（Ｕｓｅｒ Ｅｑｕｉｐｍｅｎｔ，ＵＥ）は、望ましい情報に従って、自分のＰＤＣＣＨまたはＥＰＤＣＣＨを、共通サーチスペース（Ｃｏｍｍｏｎ Ｓｅａｒｃｈ Ｓｐａｃｅ，ＣＳＳ）またはＵＥ固有サーチスペース（ＵＥ−ｓｐｅｃｉｆｉｃ Ｓｅａｒｃｈ Ｓｐａｃｅ，ＵＳＳ）をブラインド検出する。ＰＤＣＣＨの場合、それらのリソースはシステム帯域幅全体に分散されている。短いＴＴＩの周波数リソースがシステム帯域幅の部分集合に過ぎない場合、短いＴＴＩを有する制御チャネルは、短いＴＴＩの帯域幅が決定されないと、ＰＤＣＣＨに基づいて設計された短いＴＴＩ制御チャネルは、いかなるリソースにもマッピングできない。
【００１５】
要約すると、従来技術では、短いＴＴＩでリソースにマッピングし、対応するチャネルリソースを決定するための解決策はこれまで存在しなかった。
【発明の概要】
【発明が解決しようとする課題】
【００１６】
本発明に係る実施例は、チャネルリソース決定及びリソースマッピングための方法及び装置を提供し、これにより、ユーザ機器は、短いＴＴＩで制御領域の帯域幅内で当該ユーザ機器の制御チャネルのためのリソース位置を決定することができる。
【課題を解決するための手段】
【００１７】
ユーザ機器側において、本発明の実施例に係るチャネルリソース決定ための方法は、
ユーザ機器は、短い伝送時間間隔（ＴＴＩ）の制御領域に用いられるリソース集合を決定するステップと、
前記ユーザ機器は、前記リソース集合において、前記ユーザ機器の制御チャネルに用いられるリソース位置を決定するステップとを備える。
【００１８】
前記方法によれば、ユーザ機器は、短いＴＴＩの制御領域に用いられるリソース集合を決定し、前記リソース集合において前記ユーザ機器の制御チャネルに用いられるリソース位置を決定することにより、ユーザ機器は、短いＴＴＩの制御領域に用いられるリソース集合において、前記ユーザ機器の制御チャネルに用いられるリソース位置を、決定することができるようになる。
【００１９】
好ましくは、前記ユーザ機器は、短いＴＴＩの制御領域に用いられるリソース集合を決定する場合、
前記ユーザ機器は、上位層シグナリングにより、短いＴＴＩの制御領域に用いられるリソース集合を取得し、
または、前記ユーザ機器は、レガシー制御領域（ｌｅｇａｃｙ  ｃｏｎｔｒｏｌ  ｒｅｇｉｏｎ）に含まれる情報により、短いＴＴＩの制御領域に用いられるリソース集合を取得し、
または、前記ユーザ機器は、ネットワーク側との事前の約定により、短いＴＴＩの制御領域に用いられるリソース集合を決定する。
【００２０】
好ましくは、前記方法では、前記ユーザ機器は、前記ユーザ機器の制御チャネルに用いられるリソース位置において、前記ユーザ機器の制御チャネルをブラインド検出する。
【００２１】
一方、基地局側において、本発明の実施例に係るリソースマッピングための方法は、
基地局は、ユーザ機器の短い伝送時間間隔（ＴＴＩ）の制御領域に用いられるリソース集合を決定し、
前記基地局は、前記リソース集合に基づき、前記ユーザ機器のために、短いＴＴＩの制御チャネルをリソースにマッピングする。
【００２２】
前記方法によれば、基地局は、ユーザ機器の短いＴＴＩの制御領域に用いられるリソース集合を決定し、前記基地局は、前記リソース集合に基づき、前記ユーザ機器のために、短いＴＴＩの制御チャネルをリソースにマッピングすることにより、ユーザ機器は、短いＴＴＩの制御領域に用いられるリソース集合を決定する場合、短いＴＴＩの制御領域に用いられるリソース集合において、前記ユーザ機器の制御チャネルに用いられるリソース位置を決定することができるようになる。
【００２３】
好ましくは、前記リソース集合は、前記ユーザ機器と事前に約定されたリソース集合である。
【００２４】
好ましくは、前記方法では、前記基地局は、前記リソース集合を前記ユーザ機器に通知する。
【００２５】
ユーザ機器は、短い伝送時間間隔（ＴＴＩ）の制御領域に用いられるリソース集合を決定し、前記リソース集合において前記ユーザ機器の制御チャネルに用いられるリソース位置を決定する。
【００２６】
好ましくは、前記基地局が前記帯域幅を前記ユーザ機器に通知する場合、
前記基地局は、上位層シグナリングにより、前記ユーザ機器の短いＴＴＩの制御領域に用いられるリソース集合を、前記ユーザ機器に通知し、
または、前記基地局は、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する。
【００２７】
好ましくは、前記基地局は、上位層シグナリングにより、前記ユーザ機器の短いＴＴＩの制御領域に用いられるリソース集合を、前記ユーザ機器に通知する場合、前記上位層シグナリングにより、サブフレーム内の全ての短いＴＴＩの制御領域が同じリソース集合に含まれることを、通知するか、または、前記上位層シグナリングにより、サブフレーム内の各短いＴＴＩの制御領域に用いられるリソース集合を通知する。
【００２８】
好ましくは、前記基地局は、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する場合、前記サブフレーム内の全ての短いＴＴＩの制御領域のリソース集合は、前記情報により指定されるか、または、前記情報により、前記ｌｅｇａｃｙ  ｃｏｎｔｒｏｌ  ｒｅｇｉｏｎにおいて、前記サブフレームに現れた各短いＴＴＩの制御領域に用いられるリソース集合情報それぞれを通知する。
【００２９】
好ましくは、前記短いＴＴＩの制御領域に用いられるリソース集合は、短いＴＴＩの周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【００３０】
好ましくは、前記Ｎ個のリソースブロックグループは、連続的または離散的であり、または、前記Ｐ個のリソースブロックは、連続的または離散的である。
【００３１】
上記ユーザ機器側での方法に対応するように、ユーザ機器側において、本発明の実施例に係る第１種のチャネルリソース決定ための装置は、
短いＴＴＩの制御領域に用いられるリソース集合を決定する第１決定ユニットと、
前記リソース集合において、ユーザ機器の制御チャネルに用いられるリソース位置を決定する第２決定ユニットとを備える。
【００３２】
好ましくは、前記第１決定ユニットは、
上位層シグナリングにより、短いＴＴＩの制御領域に用いられるリソース集合を取得し、
または、レガシー制御領域（ｌｅｇａｃｙ  ｃｏｎｔｒｏｌ  ｒｅｇｉｏｎ）に含まれる情報により、短いＴＴＩの制御領域に用いられるリソース集合を取得し、
または、ネットワーク側との事前の約定により、短いＴＴＩの制御領域に用いられるリソース集合を決定する。
【００３３】
好ましくは、前記第２決定ユニットは、前記ユーザ機器の制御チャネルに用いられるリソース位置において、前記ユーザ機器の制御チャネルをブラインド検出する。
【００３４】
上記基地局側における方法と対応するように、基地局側において、本発明の実施例に係る第１種のリソースマッピングための装置は、
ユーザ機器の短いＴＴＩの制御領域に用いられるリソース集合を決定する第１ユニットと、
前記リソース集合に基づき、前記ユーザ機器のために、短いＴＴＩの制御チャネルをリソースにマッピングする第２ユニットとを備える。
【００３５】
好ましくは、前記リソース集合は、前記ユーザ機器と事前に約定されたリソース集合である。
【００３６】
好ましくは、前記第１ユニットは、前記リソース集合を前記ユーザ機器に通知する。
【００３７】
好ましくは、前記第１ユニットは、
上位層シグナリングにより、前記ユーザ機器の短いＴＴＩの制御領域に用いられるリソース集合を、前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する。
【００３８】
好ましくは、上位層シグナリングにより、前記ユーザ機器の短いＴＴＩの制御領域に用いられるリソース集合を、前記ユーザ機器に通知する場合、前記第１ユニットは、前記上位層シグナリングにより、サブフレーム内の全ての短いＴＴＩの制御領域が同じリソース集合に含まれることを、通知し、または、前記第１ユニットは、前記上位層シグナリングにより、サブフレーム内の各短いＴＴＩの制御領域に用いられるリソース集合を通知する。
【００３９】
好ましくは、前記第１ユニットは、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する場合、前記サブフレーム内の全ての短いＴＴＩの制御領域のリソース集合は、前記情報により指定されるか、または、前記第１ユニットは、前記情報により、前記ｌｅｇａｃｙ  ｃｏｎｔｒｏｌ  ｒｅｇｉｏｎにおいて、前記サブフレームに現れた各短いＴＴＩの制御領域に用いられるリソース集合情報それぞれを通知する。
【００４０】
好ましくは、前記短いＴＴＩの制御領域に用いられるリソース集合は、短いＴＴＩの周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【００４１】
好ましくは、前記Ｎ個のリソースブロックグループは、連続的または離散的であり、または、前記Ｐ個のリソースブロックは、連続的または離散的である。
【００４２】
上記ユーザ機器側の方法と対応するように、ユーザ機器側において、本発明の実施例に係る第２種のチャネルリソース決定ための装置は、
プロセッサと、メモリと、送受信機とを備え、
前記プロセッサは、メモリに格納されたプログラムを読み出し、
伝送時間間隔が短い制御領域に用いられるリソース集合を決定し、前記リソース集合において、ユーザ機器の制御チャネルに用いられるリソース位置を決定し、
送受信機は、プロセッサの制御によりデータを送受信する。
【００４３】
好ましくは、前記プロセッサは、
上位層シグナリングにより、伝送時間間隔が短い制御領域に用いられるリソース集合を取得し、
または、レガシー制御領域（ｌｅｇａｃｙ  ｃｏｎｔｒｏｌ  ｒｅｇｉｏｎ）に含まれる情報により、伝送時間間隔が短い制御領域に用いられるリソース集合を取得し、
または、ネットワーク側との事前の約定により、伝送時間間隔が短い制御領域に用いられるリソース集合を決定する。
【００４４】
好ましくは、前記プロセッサは、
前記ユーザ機器の制御チャネルに用いられるリソース位置において、前記ユーザ機器の制御チャネルをブラインド検出する。
【００４５】
上記基地局側での方法と対応するように、基地局側において、本発明の実施例に係る第２種のリソースマッピングための装置は、
プロセッサと、メモリと、送受信機とを備え、
前記プロセッサは、メモリに格納されたプログラムを読み出し、
ユーザ機器の伝送時間間隔が短い制御領域に用いられるリソース集合を決定し、前記リソース集合に基づき、前記ユーザ機器のために、短い伝送時間間隔場合の制御チャネルをリソースにマッピングし、
前記送受信機は、プロセッサの制御によりデータを送受信する。
【００４６】
好ましくは、前記リソース集合は、前記ユーザ機器と事前に約定されたリソース集合である。
【００４７】
好ましくは、前記プロセッサは、
前記リソース集合を前記ユーザ機器に通知する。
【００４８】
好ましくは、前記プロセッサは、
上位層シグナリングにより、前記ユーザ機器の伝送時間間隔が短い制御領域に用いられるリソース集合を前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知する。
【００４９】
好ましくは、上位層シグナリングにより、前記ユーザ機器の伝送時間間隔が短い制御領域に用いられるリソース集合を前記ユーザ機器に通知する場合、前記プロセッサは、前記上位層シグナリングにより、サブフレーム内の全ての伝送時間間隔が短い制御領域が同一のリソース集合に存在することを通知するか、または、前記プロセッサは、前記上位層シグナリングにより、サブフレーム内の各伝送時間間隔が短い制御領域に用いられるリソース集合を通知する。
【００５０】
好ましくは、前記プロセッサが、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知する場合、前記サブフレーム内の全ての伝送時間間隔が短い制御領域のリソース集合は、前記情報により指定されるか、または、前記プロセッサは、前記情報により、前記ｌｅｇａｃｙ  ｃｏｎｔｒｏｌ  ｒｅｇｉｏｎにおいて、前記サブフレームに現れた各伝送時間間隔が短い制御領域に用いられるリソース集合情報それぞれを通知する。
【００５１】
好ましくは、前記伝送時間間隔が短い制御領域に用いられるリソース集合は、伝送時間間隔が短い周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【００５２】
好ましくは、前記Ｎ個のリソースブロックグループは、連続的または離散的であり、または、前記Ｐ個のリソースブロックは、連続的または離散的である。
【図面の簡単な説明】
【００５３】
本発明に係る実施例や従来の技術方案をより明確に説明するために、以下に実施例を説明するために必要な図面をについて簡単に紹介する。無論、以下の説明における図面は本発明に係る実施例の一部であり、当業者は、創造性作業を行わないことを前提として、これらの図面に基づいて他の図面を得ることができる。
【図１】従来技術のフレーム構成タイプ１（Ｆｒａｍｅ ｓｔｒｕｃｔｕｒｅ ｔｙｐｅ １）を示す図である。
【図２】従来技術のフレーム構成タイプ２（Ｆｒａｍｅ ｓｔｒｕｃｔｕｒｅ ｔｙｐｅ ２ (ｆｏｒ ５ ｍｓ ｓｗｉｔｃｈ−ｐｏｉｎｔ ｐｅｒｉｏｄｉｃｉｔｙ) ）を示す図である。
【図３】従来技術のダウンリンクリソースグリッド（Ｄｏｗｎｌｉｎｋ ｒｅｓｏｕｒｃｅ ｇｒｉｄ）を示す図である。
【図４】本発明の実施例に係るチャネルリソース決定ための方法のフローチャートである。
【図５】本発明の実施例に係るリソースマッピングための方法のフローチャートである。
【図６（ａ）】本発明の実施例に係る短いＴＴＩの制御チャネルに用いられる伝送リソース集合を決定する方法を示す図である。
【図６（ｂ）】本発明の実施例に係る短いＴＴＩの制御チャネルに用いられる伝送リソース集合を決定する方法を示す図である。
【図７（ａ）】本発明の実施例に係る短いＴＴＩの制御チャネルを制御領域内のリソースにマッピングすることを示す図である。
【図７（ｂ）】本発明の実施例に係る短いＴＴＩの制御チャネルを制御領域内のリソースにマッピングすることを示す図である。
【図７（ｃ）】本発明の実施例に係る短いＴＴＩの制御チャネルを制御領域内のリソースにマッピングすることを示す図である。
【図８（ａ）】本発明の実施例に係る短いＴＴＩの制御チャネルに用いられる伝送リソース集合を決定する方法を示す図である。
【図８（ｂ）】本発明の実施例に係る短いＴＴＩの制御チャネルに用いられる伝送リソース集合を決定する方法を示す図である。
【図９】本発明の実施例に係る第１種のチャネルリソース決定ための装置の構成図である。
【図１０】本発明の実施例に係る第１種のリソースマッピングための装置の構成図である。
【図１１】本発明の実施例に係る第２種のチャネルリソース決定ための装置の構成図である。
【図１２】本発明の実施例に係る第２種のリソースマッピングための装置の構成図である。
【発明を実施するための形態】
【００５４】
本発明に係る実施例は、チャネルリソース決定及びリソースマッピングための方法及び装置を提供することにより、ユーザ機器は、短いＴＴＩの制御領域に用いられるリソース集合において、前記ユーザ機器の制御チャネルに用いられるリソース位置を決定することができるようになる。
【００５５】
ユーザ機器側では、図４に示す本発明の実施例に係るチャネルリソース決定ための方法は、以下のステップを備える。
【００５６】
Ｓ１０１において、ユーザ機器は、短い伝送時間間隔（ＴＴＩ）の制御領域に用いられるリソース集合を決定する。
【００５７】
Ｓ１０２において、前記ユーザ機器は、前記リソース集合において、前記ユーザ機器の制御チャネルに用いられるリソース位置を決定する。
【００５８】
前記方法によれば、ユーザ機器は、短いＴＴＩの制御領域に用いられるリソース集合を決定し、前記リソース集合において前記ユーザ機器の制御チャネルに用いられるリソース位置を決定することにより、ユーザ機器は、短いＴＴＩの制御領域に用いられるリソース集合において、前記ユーザ機器の制御チャネルに用いられるリソース位置を決定することができるようになる。
【００５９】
ここで、本発明の実施例に係る短いＴＴＩの制御領域に用いられるリソース集合は、短いＴＴＩの制御領域に用いられる帯域幅とも呼ばれる。
【００６０】
好ましくは、前記ユーザ機器が、短い伝送時間間隔（ＴＴＩ）の制御領域に用いられるリソース集合を決定する場合、
前記ユーザ機器は、上位層シグナリングにより、短いＴＴＩの制御領域に用いられるリソース集合を取得し、
または、前記ユーザ機器は、レガシー制御領域（ｌｅｇａｃｙ  ｃｏｎｔｒｏｌ  ｒｅｇｉｏｎ）に含まれる情報により、短いＴＴＩの制御領域に用いられるリソース集合を取得し、
または、前記ユーザ機器は、ネットワーク側との事前の約定により、短いＴＴＩの制御領域に用いられるリソース集合を決定する。
【００６１】
好ましくは、前記ユーザ機器は、前記ユーザ機器の制御チャネルに用いられるリソース位置において、前記ユーザ機器の制御チャネルをブラインド検出する。
【００６２】
一方、ネットワーク側において、図５に示す本発明の実施例に係るリソースマッピングための方法は、以下のステップを備える。
【００６３】
Ｓ２０１において、基地局は、ユーザ機器の短い伝送時間間隔（ＴＴＩ）の制御領域に用いられるリソース集合を決定する。
【００６４】
Ｓ２０２において、前記基地局は、前記リソース集合に基づき、前記ユーザ機器のために、短いＴＴＩの制御チャネルをリソースにマッピングする。
【００６５】
前記方法によれば、基地局は、ユーザ機器の短い伝送時間間隔（ＴＴＩ）の制御領域に用いられるリソース集合を決定し、前記基地局は、前記リソース集合に基づき、前記ユーザ機器のために、短いＴＴＩの制御チャネルをリソースにマッピングすることにより、ユーザ機器は、短い伝送時間間隔（ＴＴＩ）の制御領域に用いられるリソース集合を決定する場合、短いＴＴＩの制御領域に用いられるリソース集合において、前記ユーザ機器の制御チャネルに用いられるリソース位置を決定することができるようになる。
【００６６】
好ましくは、前記リソース集合は、前記ユーザ機器と事前に約定されたリソース集合である。
【００６７】
好ましくは、前記基地局は、前記リソース集合を前記ユーザ機器に通知する。これにより、ユーザ機器は、短い伝送時間間隔（ＴＴＩ）の制御領域に用いられるリソース集合を決定し、前記リソース集合において前記ユーザ機器の制御チャネルに用いられるリソース位置を決定することができる。
【００６８】
好ましくは、前記基地局が、前記リソース集合を前記ユーザ機器に通知する場合、
前記基地局は、上位層シグナリングにより、前記ユーザ機器の短いＴＴＩの制御領域に用いられるリソース集合を、前記ユーザ機器に通知し、
または、前記基地局は、ｌｅｇａｃｙ  ｃｏｎｔｒｏｌ  ｒｅｇｉｏｎに含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する。
【００６９】
好ましくは、前記基地局は、上位層シグナリングにより、前記ユーザ機器の短いＴＴＩの制御領域に用いられるリソース集合を、前記ユーザ機器に通知する場合、前記上位層シグナリングにより、サブフレーム内の全ての短いＴＴＩの制御領域が同じリソース集合に含まれることを、通知し、または、前記上位層シグナリングにより、サブフレーム内の各短いＴＴＩの制御領域に用いられるリソース集合を通知する。
【００７０】
好ましくは、前記基地局は、ｌｅｇａｃｙ  ｃｏｎｔｒｏｌ  ｒｅｇｉｏｎに含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する場合、前記サブフレーム内の全ての短いＴＴＩの制御領域のリソース集合は、前記情報により指定されるか、または、前記情報により、前記ｌｅｇａｃｙ  ｃｏｎｔｒｏｌ  ｒｅｇｉｏｎにおいて、前記サブフレームに現れた各短いＴＴＩの制御領域に用いられるリソース集合情報それぞれを通知する。
【００７１】
換言すれば、基地局は、ｌｅｇａｃｙ  ｃｏｎｔｒｏｌ  ｒｅｇｉｏｎに、前記サブフレーム内の短いＴＴＩの制御領域に用いられるリソース集合情報を含ませる。
【００７２】
前記情報は、ｓｕｂｆｒａｍｅ ｃｏｍｍｏｎのものであり、即ち、ｓｕｂｆｒａｍｅ内の全ての短いＴＴＩの制御領域のリソース集合は、前記情報により指定される。
【００７３】
または、前記情報は、sＴＴＩ−ｓｐｅｃｉｆｉｃのものであり、即ち、基地局は、ｌｅｇａｃｙ  ｃｏｎｔｒｏｌ  ｒｅｇｉｏｎにおいて、一定数のｂitの、前記サブフレームに現れた各短いＴＴＩの制御領域に用いられるリソース集合情報それぞれを通知する。
【００７４】
好ましくは、前記短いＴＴＩの制御領域に用いられるリソース集合は、短いＴＴＩの周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【００７５】
好ましくは、前記Ｎ個のリソースブロックグループは、連続的または離散的であり、または、前記Ｐ個のリソースブロックは、連続的または離散的である。
【００７６】
言い換えれば、前記Ｎ個のＲＢ ｇｒｏｕｐまたはＰ個のＲＢは、Ｎ個の連続したＲＢグループまたはＰ個の連続したＲＢであることができ、離散的Ｎ個の離散したＲＢ ｇｒｏｕｐまたはＰ個の離散したＲＢであることができる。
【００７７】
以下、いくつかの実施例で説明する。
【００７８】
実施例１： 
本実施例では、時間領域における短いＴＴＩの長さは２つのＯＦＤＭシンボルであり、LTEシステムにおけるｌｅｇａｃｙ  ｃｏｎｔｒｏｌ  ｒｅｇｉｏｎは、２個のＯＦＤＭシンボルを占有すれば、１個のサブフレーム内に６つの短いＴＴＩがあり、それぞれは、sＴＴＩ０\sＴＴＩ１\sＴＴＩ２\sＴＴＩ３\sＴＴＩ４\sＴＴＩ５である。ここで、sＴＴＩは、短いＴＴＩを示す。各短ＴＴＩ内の制御領域は、第１のＯＦＤＭシンボル内に設定されている。サブフレーム内のすべての短いＴＴＩの制御領域に用いられるリソース集合は同じである。また、基地局は、上位層シグナリングにより、サブフレーム内のすべての短いＴＴＩの制御領域に用いられるリソース集合情報を通知する。例えば、上位層シグナリングにより、短いＴＴＩの制御領域がシステムリソース集合内のＮ個のＲＢであることを指示する。Ｎは、１より大きいか等しい正整数である。ここで、Ｎ個のＲＢは、Ｎ個の連続したＲＢであり、図６（ａ）に示す。またはＮ個のＲＢは、Ｎ個の離散したＲＢであり、図６（ｂ）に示す。
【００７９】
基地局は、割り当てられたｓＰＤＣＣＨ（即ち、短いＴＴＩに対応するＰＤＣＣＨ）リソース集合において、使用可能のリソースを計算し、短いＴＴＩデータ伝送をスケジューリングする制御情報を、ｓＰＤＣＣＨリソース集合内の特定リソースにマッピングする。短いＴＴＩのダウンリンク制御領域に３個のＲＢが含まれば、短いＴＴＩの制御チャネルを、ダウンリンク制御領域内のリソースにマッピングし、図７(ａ)、７(ｂ)、７(ｃ)に示す。例えば、図７(ｂ)を例とし、ｓＰＤＣＣＨにより搬送されべきビット情報を、カスケード、スクランブル、変調、レイヤマッピング及びプリコーディングし、取得した情報シンボルを４つの組に分割して、前記４つの組をインターリーブする。インターリーブした後の４つの組を、短いＴＴＩの制御領域内のリソースにマッピングする。前記制御領域に１つのみのｓＣＣＥがあり（即ち、短いＴＴＩに対応するCCE、かつ１つのｓＣＣＥが９個のｓＲＥＧより構成されれば、前記ｓＣＣＥのｓＲＥＧの短いＴＴＩの制御領域におけるマッピングは、図７(ｂ)に示すとおりである。または、ｓＰＤＣＣＨを、制御領域リソース集合において、ＥＰＤＣＣＨに方式でリソースにマッピングし、この際、ｓＣＣＥは複数のｓＲＥＧより構成され、図７(ａ)に示すとおりである。または、ＲＢを単位として、リソースにマッピングし、ダウンリンク制御情報を、周波数領域先時間領域後、または、時間領域先周波数領域後の(短いＴＴＩの制御領域が１個のみのＯＦＤＭシンボルを占有する場合、周波数領域のみにマッピングする)の順番に従って、制御チャネルに占有されたＲＢにおいて、リソースにマッピングし、図７(ａ)、図７(ｃ)に示すとおりである。ＵＥは、制御領域リソース集合内の自分に割り当てられたサーチスペースに基づき、自分のｓＰＤＣＣＨをブラインド検出する。無線ネットワーク一時識別子（Ｒａｄｉｏ Ｎｅｔｗｏｒｋ Ｔｅｍｐｏｒａｒｙ Ｉｄｅｎｔｉｔｙ，ＲＮＴＩ）に基づき、自分のｓＰＤＣＣＨを検出及び受信した後、まず、デインターリーブ、復調などにより、自分のスケジューリング情報を取得する。
【００８０】
また、図６(ａ)、図６(ｂ)は、短いＴＴＩの制御領域のリソース集合の短いＴＴＩの周波数領域上の位置の可能な例を示す。短いＴＴＩの制御領域以外の周波数領域内の短いＴＴＩ内に設定されるか、または、１個以上のＯＦＤＭシンボルを占有する。上位層シグナリングにより、短いＴＴＩの制御領域に用いられるリソース集合を通知する場合、ＲＢ ｇｒｏｕｐを単位として通知することもできる。
【００８１】
実施例２：    
本実施例では、時間領域における短いＴＴＩの長さは２つのＯＦＤＭシンボルであり、LTEシステムにおけるｌｅｇａｃｙ  ｃｏｎｔｒｏｌ  ｒｅｇｉｏｎは、２個のＯＦＤＭシンボルを占有すれば、１個のサブフレーム内に６つの短いＴＴＩがあり、それぞれは、sＴＴＩ０\sＴＴＩ１\sＴＴＩ２\sＴＴＩ３\sＴＴＩ４\sＴＴＩ５である。また、各短いＴＴＩにおいて、その制御領域は第１のＯＦＤＭシンボルに位置する。サブフレーム内の各短いＴＴＩの制御領域に用いられるリソース集合情報は、上位層シグナリングにより個別に設定され、各短いＴＴＩの制御領域の短いＴＴＩリソース集合における周波数領域位置は、同じか、異なる。例えば、上位層シグナリングにより、各短いＴＴＩの制御領域に占有されたシステムリソース集合内のＮ個のＲＢを指示し、Ｎは、１より大きいか等しい正整数である。ここで、Ｎ個のＲＢは、Ｎ個の連続したＲＢであり、図８（ａ）に示すとおりである。またはＮ個のＲＢは、Ｎ個の離散したＲＢであり、図８（ｂ）に示す。各短いＴＴＩの制御領域の短いＴＴＩリソース集合における周波数領域位置は、同じか、異なり、図８（ａ）、図８（ｂ）に示すとおりである。
【００８２】
基地局は、割り当てられたｓＰＤＣＣＨリソース集合において、使用可能のリソースを計算し、短いＴＴＩデータ伝送をスケジューリングする制御情報を、ｓＰＤＣＣＨリソース集合内の特定リソースにマッピングする。短いＴＴＩのダウンリンク制御領域に３個のＲＢが含まれば、短いＴＴＩの制御チャネルを、ダウンリンク制御領域内のリソースにマッピングし、図７(ａ)、７(ｂ)、７(ｃ)に示すとおりである。例えば、図７(ｂ)に示すように、ｓＰＤＣＣＨにより搬送されべきビット情報を、カスケード、スクランブル、変調、レイヤマッピング及びプリコーディングし、取得した情報シンボルを４つ組に分割して、４つの組をインターリーブする。インターリーブした後の４つの組を、短いＴＴＩの制御領域内のリソースにマッピングする。前記制御領域に１つのみのｓＣＣＥがあり、１個のｓＣＣＥが９個のｓＲＥＧより構成されれば、前記ｓＣＣＥのｓＲＥＧの短いＴＴＩの制御領域におけるマッピングは、図７ (ｂ)に示すとおりである。または、ｓＰＤＣＣＨを、制御領域リソース集合において、ＥＰＤＣＣＨに方式でリソースにマッピングし、この際、ｓＣＣＥは複数のｓＲＥＧより構成され、図７ (ａ)に示すとおりである。または、ＲＢを単位として、リソースにマッピングし、ダウンリンク制御情報を、周波数領域先時間領域後、または、時間領域先周波数領域後の(短いＴＴＩの制御領域が１個のみのＯＦＤＭシンボルを占有する場合、周波数領域のみにマッピングする)の順番に従って、制御チャネルに占有されたＲＢにおいて、リソースにマッピングし、図７ (ａ)、図７ (ｃ)に示すとおりである。ＵＥは、制御領域リソース集合内の自分に割り当てられたサーチスペースに基づき、自分のｓＰＤＣＣＨをブラインド検出する。ＲＮＴＩに基づき、自分のｓＰＤＣＣＨを検出及び受信した後、まず、デインターリーブ、復調などにより、自分のスケジューリング情報を取得する。
【００８３】
また、図６(ａ) 、図６ (ｂ)は、短いＴＴＩの制御領域に用いられるリソース集合の、短いＴＴＩの周波数領域上の位置の例を示す図である。短いＴＴＩの制御領域以外の周波数領域内の短いＴＴＩ内に設定されるか、または、１個以上のＯＦＤＭシンボルを占有する。上位層シグナリングにより、短いＴＴＩの制御領域に用いられるリソース集合を通知する場合、ＲＢ ｇｒｏｕｐを単位として通知することもできる。
【００８４】
実施例３：
本実施例では、時間領域における短いＴＴＩの長さが２個のＯＦＤＭシンボルであり、または７個のＯＦＤＭシンボルであり、ＬＴＥシステムにおけるｌｅｇａｃｙ  ｃｏｎｔｒｏｌ  ｒｅｇｉｏｎは、２個のＯＦＤＭシンボルを占有する。各短いＴＴＩでは、長さが２個のＯＦＤＭシンボルである短いＴＴＩの場合、その制御領域は第１のＯＦＤＭシンボルに位置する。長さが７個のＯＦＤＭシンボルである短いＴＴＩの場合、その制御領域は、第１個及び第２個んおＯＦＤＭシンボルに位置する。上位層シグナリングにより、各短いＴＴＩの制御領域が前記短いＴＴＩリソース集合において占有する周波数領域リソースを通知する場合、前記短いＴＴＩの制御領域に用いられるリソース集合は、短いＴＴＩの時間領域長さに従って割り当てられる。例えば、上位層シグナリングにより、通知する場合、サブフレーム内の長さが２個のＯＦＤＭシンボルである短いＴＴＩの制御領域は、前記短いＴＴＩの周波数領域上の前のＭ個のＲＢを占有し、長さが７個のＯＦＤＭシンボルである短いＴＴＩの制御領域は、前記短いＴＴＩの周波数領域上の前いのＮ個のＲＢを占有する。ＭとＮは、１より大きいか等しい正整数である。
【００８５】
基地局は、割り当てられたｓＰＤＣＣＨリソース集合において、使用可能のリソースを計算し、短いＴＴＩデータ伝送をスケジューリングする制御情報を、ｓＰＤＣＣＨリソース集合内の特定リソースにマッピングする。短いＴＴＩのダウンリンク制御領域に３個のＲＢが含まれば、短いＴＴＩの制御チャネルを、ダウンリンク制御領域内のリソースにマッピングし、図７(ａ)、７(ｂ)、７(ｃ)に示すとおりである。例えば、図７(ｂ)では、ｓＰＤＣＣＨにより搬送されべきビット情報を、カスケード、スクランブル、変調、レイヤマッピング及びプリコーディングし、取得した情報シンボルを４つ組に分割して、４つの組をインターリーブする。インターリーブした後の４つの組を、短いＴＴＩの制御領域内のリソースにマッピングする。前記制御領域に１つのみのｓＣＣＥがあり、１個のｓＣＣＥが９個のｓＲＥＧより構成されれば、前記ｓＣＣＥのｓＲＥＧの短いＴＴＩの制御領域におけるマッピングは、図７ (ｂ)に示すとおりである。または、ｓＰＤＣＣＨを、制御領域リソース集合において、ＥＰＤＣＣＨに方式でリソースにマッピングし、この際、ｓＣＣＥは複数のｓＲＥＧより構成され、図７(ａ) に示すとおりである。ままたは、ＲＢを単位として、リソースにマッピングし、ダウンリンク制御情報を、周波数領域先時間領域後、または、時間領域先周波数領域後の(短いＴＴＩの制御領域が１個のみのＯＦＤＭシンボルを占有する場合、周波数領域のみにマッピングする)の順番に従って、制御チャネルに占有されたＲＢにおいて、リソースにマッピングし、図７ (ａ)、図７ (ｃ)に示すとおりである。ＵＥは、制御領域リソース集合内の自分に割り当てられたサーチスペースに基づき、自分のｓＰＤＣＣＨをブラインド検出する。ＲＮＴＩに基づき、自分のｓＰＤＣＣＨを検出及び受信した後、まず、デインターリーブ、復調などにより、自分のスケジューリング情報を取得する。
【００８６】
また、本実施例に係る短いＴＴＩの制御領域に用いられるリソース集合の、短いＴＴＩの周波数領域上の位置の可能の例として、短いＴＴＩの制御領域以外の周波数領域内の短いＴＴＩ内に設定されるか、他の数のＯＦＤＭシンボルを占有することもできる。上位層シグナリングにより、短いＴＴＩの制御領域に用いられるリソース集合を通知する場合、ＲＢ ｇｒｏｕｐを単位として通知することもできる。
【００８７】
実施例４：
本実施例では、時間領域における短いＴＴＩの長さは２つのＯＦＤＭシンボルであり、ＬＴＥシステムにおけるｌｅｇａｃｙ  ｃｏｎｔｒｏｌ  ｒｅｇｉｏｎは、２個のＯＦＤＭシンボルを占有すれば、１個のサブフレーム内に６つの短いＴＴＩがあり、それぞれはsＴＴＩ０\sＴＴＩ１\sＴＴＩ２\sＴＴＩ３ sＴＴＩ４\sＴＴＩ５である。また、各短いＴＴＩにおいて、その制御領域は第１のＯＦＤＭシンボルに位置する。基地局は、LTEシステムｌｅｇａｃｙ  ｃｏｎｔｒｏｌ  ｒｅｇｉｏｎの共通サーチスペースに一定量の情報ｂitを含ませ、短いＴＴＩの周波数領域における、前記サブフレーム内の全ての短いＴＴＩの制御領域に占有された位置を示す。例えば、短いＴＴＩの周波数領域における、サブフレーム内の短いＴＴＩの制御領域により占有されたＲＢを示す。本実施例では、前記情報は、ｓｕｂｆｒａｍｅ−ｓｐｅｃｉｆｉｃの情報であり、即ち、前記情報は、サブフレーム内の全ての短いＴＴＩ制御チャネルの周波数領域情報を通知し、図６(ａ)、６(ｂ)に示すとおりである。
【００８８】
基地局は、割り当てられたｓＰＤＣＣＨリソース集合において、使用可能のリソースを計算し、短いＴＴＩデータ伝送をスケジューリングする制御情報を、ｓＰＤＣＣＨリソース集合内の特定リソースにマッピングする。短いＴＴＩのダウンリンク制御領域に３個のＲＢが含まれば、短いＴＴＩの制御チャネルを、ダウンリンク制御領域内のリソースにマッピングし、図７(ａ)、７(ｂ)、７(ｃ)に示すとおりである。例えば、図７(ｂ)を例とし、ｓＰＤＣＣＨにより搬送されべきビット情報を、カスケード、スクランブル、変調、レイヤマッピング及びプリコーディングし、取得した情報シンボルを４つ組に分割して、４つの組をインターリーブする。インターリーブした後の４つの組を、短いＴＴＩの制御領域内のリソースにマッピングする。前記制御領域に１つのみのｓＣＣＥがあり、且つ、１つのｓＣＣＥが９個のｓＲＥＧより構成されれば、前記ｓＣＣＥのｓＲＥＧの短いＴＴＩの制御領域におけるマッピングは、図７(ｂ)に示すとおりである。または、ｓＰＤＣＣＨを、制御領域リソース集合において、ＥＰＤＣＣＨに方式でリソースにマッピングし、この際、ｓＣＣＥは複数のｓＲＥＧより構成され、図７(ａ)；またはＲＢを単位として、リソースにマッピングし、ダウンリンク制御情報を、周波数領域先時間領域後、または、時間領域先周波数領域後の(短いＴＴＩの制御領域が１個のみのＯＦＤＭシンボルを占有する場合、周波数領域のみにマッピングする)，制御チャネルに占有されたＲＢにおいて、リソースにマッピングし、図７(ａ)、図７(ｃ)に示すとおりである。ＵＥは、制御領域リソース集合内の自分に割り当てられたサーチスペースに基づき、自分のｓＰＤＣＣＨをブラインド検出する。ＲＮＴＩに基づき、自分のｓＰＤＣＣＨを検出及び受信した後、まず、デインターリーブ、復調などにより、自分のスケジューリング情報を取得する。また、図６は、示す短いＴＴＩの制御領域に用いられるリソース集合の、短いＴＴＩの周波数領域上の位置の可能な例として、短いＴＴＩの制御領域以外の周波数領域内の短いＴＴＩ内に設定されるか、または、１個以上のＯＦＤＭシンボルを占有する。上位層シグナリングにより、短いＴＴＩの制御領域に用いられるリソース集合を通知する場合、ＲＢ ｇｒｏｕｐを単位として通知することもできる。
【００８９】
実施例５：
本実施例では、時間領域における短いＴＴＩの長さは２つのＯＦＤＭシンボルであり、ＬＴＥシステムにおけるｌｅｇａｃｙ  ｃｏｎｔｒｏｌ  ｒｅｇｉｏｎは、２個のＯＦＤＭシンボルを占有すれば、１個のサブフレーム内に６つの短いＴＴＩがあり、それぞれは、sＴＴＩ０\sＴＴＩ１\sＴＴＩ２\sＴＴＩ３\sＴＴＩ４\sＴＴＩ５である。また、各短いＴＴＩにおいて、その制御領域は第１のＯＦＤＭシンボルに位置する。基地局は、ＬＴＥシステムｌｅｇａｃｙ  ｃｏｎｔｒｏｌ  ｒｅｇｉｏｎの共通サーチスペースにおいて、一定数の情報ｂitを含ませて、短いＴＴＩのリソース集合における、前記サブフレーム内の全ての短いＴＴＩの制御領域により占有された位置を示す。例えば、短いＴＴＩの周波数領域における、サブフレーム内の短いＴＴＩの制御領域により占有されたＲＢを示す。本実施例では、前記情報は、sＴＴＩ−ｓｐｅｃｉｆｉｃのものであり、即ち、前記情報は、サブフレーム内の各短いＴＴＩ制御チャネルの周波数領域情報を通知する。異なる短いＴＴＩの制御領域の、短いＴＴＩの周波数領域において占有された周波数領域リソース位置は異なってもよく、図７(ａ)、７(ｂ)、７(ｃ)に示すとおりである。
【００９０】
基地局は、割り当てられたｓＰＤＣＣＨリソース集合において、使用可能のリソースを計算し、短いＴＴＩデータ伝送をスケジューリングする制御情報を、ｓＰＤＣＣＨリソース集合内の特定リソースにマッピングする。短いＴＴＩのダウンリンク制御領域に３個のＲＢが含まれば、短いＴＴＩの制御チャネルを、ダウンリンク制御領域内のリソースにマッピングし、図７(ａ)、７(ｂ)、７(ｃ)に示すとおりである。例えば、図７(ｂ)を例とし、ｓＰＤＣＣＨにより搬送されべきビット情報を、カスケード、スクランブル、変調、レイヤマッピング及びプリコーディングし、取得した情報シンボルを４つ組に分割して、４つの組をインターリーブする。インターリーブした後の４つの組を、短いＴＴＩの制御領域内のリソースにマッピングする。前記制御領域に１つのみのｓＣＣＥがあり、且つ１個のｓＣＣＥが９個のｓＲＥＧより構成されれば、前記ｓＣＣＥのｓＲＥＧの短いＴＴＩの制御領域におけるマッピングは、図７(ｂ)に示すとおりである。または、ｓＰＤＣＣＨを、制御領域リソース集合において、ＥＰＤＣＣＨに方式でリソースにマッピングし、この際、ｓＣＣＥは複数のｓＲＥＧより構成され、図７(ａ)に示すとおりである。またはＲＢを単位として、リソースにマッピングし、ダウンリンク制御情報を、周波数領域先時間領域後、または、時間領域先周波数領域後の(短いＴＴＩの制御領域が１個のみのＯＦＤＭシンボルを占有する場合、周波数領域のみにマッピングする)の順番に従って、制御チャネルに占有されたＲＢにおいて、リソースにマッピングし、図７(ａ)、図７(ｃ)に示すとおりである。ＵＥは、制御領域リソース集合内の自分に割り当てられたサーチスペースに基づき、自分のｓＰＤＣＣＨをブラインド検出する。ＲＮＴＩに基づき、自分のｓＰＤＣＣＨを検出及び受信した後、まず、デインターリーブ、復調などにより、自分のスケジューリング情報を取得する。また、図６(ａ)、図６(ｂ)は、短いＴＴＩの制御領域に用いられるリソース集合の、短いＴＴＩの周波数領域上の位置の可能な例を示す。短いＴＴＩの制御領域以外の周波数領域内の短いＴＴＩ内に設定されるか、または、１個以上のＯＦＤＭシンボルを占有する。上位層シグナリングにより、短いＴＴＩの制御領域に用いられるリソース集合を通知する場合、ＲＢ ｇｒｏｕｐを単位として通知することもできる。
【００９１】
実施例６：
本実施例では、短いＴＴＩの制御により占有された周波数領域リソースは、事前定義により、短いＴＴＩの周波数領域上の固定位置に分布され、これらの位置は連続してもよく、離散してもよい、明示的な指示が要らない。時間領域における短いＴＴＩの長さは２つのＯＦＤＭシンボルであり、ＬＴＥシステムにおけるｌｅｇａｃｙ  ｃｏｎｔｒｏｌ  ｒｅｇｉｏｎは、２個のＯＦＤＭシンボルを占有すれば、１個のサブフレーム内に６つの短いＴＴＩがあり、それぞれは、sＴＴＩ０\sＴＴＩ１\sＴＴＩ２\sＴＴＩ３\sＴＴＩ４\sＴＴＩ５である。各短ＴＴＩ内の制御領域は、第１のＯＦＤＭシンボル内に設定されている。短いＴＴＩの制御領域の所在の短いＴＴＩにおいて占有された周波数領域位置は、図６(ａ)、図６(ｂ)、図８(ａ)、図８(ｂ)に示すとおりである。実施例１~５に記載の前記方法で、短いＴＴＩの制御チャネルを、短いＴＴＩの制御領域に用いられるリソース集合において、リソースにマッピングし、ここで、繰り返して説明しない。
【００９２】
ユーザ機器側では、図９に示す本発明の実施例に係る第１種のチャネルリソース決定ための装置は、
短い伝送時間間隔（ＴＴＩ）の制御領域に用いられるリソース集合を決定する第１決定ユニット１１と、
前記リソース集合において、ユーザ機器の制御チャネルに用いられるリソース位置を決定する第２決定ユニット１２とを備える。
【００９３】
好ましくは、前記第１決定ユニットは、
上位層シグナリングにより、短いＴＴＩの制御領域に用いられるリソース集合を取得し、
または、レガシー制御領域（ｌｅｇａｃｙ  ｃｏｎｔｒｏｌ  ｒｅｇｉｏｎ）に含まれる情報により、短いＴＴＩの制御領域に用いられるリソース集合を取得し、
または、ネットワーク側との事前の約定により、短いＴＴＩの制御領域に用いられるリソース集合を決定する。
【００９４】
好ましくは、前記第２決定ユニットは、前記ユーザ機器の制御チャネルに用いられるリソース位置において、前記ユーザ機器の制御チャネルをブラインド検出する。
【００９５】
基地局側では、図１０に示す本発明の実施例に係る第１種のリソースマッピングための装置は、
ユーザ機器の短い伝送時間間隔（ＴＴＩ）の制御領域に用いられるリソース集合を決定する第１ユニット２１と、
前記リソース集合に基づき、前記ユーザ機器のために、短いＴＴＩの制御チャネルをリソースにマッピングする第２ユニット２２とを備える。
【００９６】
好ましくは、前記リソース集合は、前記ユーザ機器と事前に約定されたリソース集合である。
【００９７】
好ましくは、前記第１ユニットは、前記リソース集合を前記ユーザ機器に通知する。
【００９８】
好ましくは、前記第１ユニットは、
上位層シグナリングにより、前記ユーザ機器の短いＴＴＩの制御領域に用いられるリソース集合を、前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する。
【００９９】
好ましくは、上位層シグナリングにより、前記ユーザ機器の短いＴＴＩの制御領域に用いられるリソース集合を、前記ユーザ機器に通知する場合、前記第１ユニットは、前記上位層シグナリングにより、サブフレーム内の全ての短いＴＴＩの制御領域が同じリソース集合に含まれることを、通知し、または、前記第１ユニットは、前記上位層シグナリングにより、サブフレーム内の各短いＴＴＩの制御領域に用いられるリソース集合を通知する。
【０１００】
好ましくは、前記第１ユニットは、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知する場合、前記サブフレーム内の全ての短いＴＴＩの制御領域のリソース集合は、前記情報により指定されるか、または、前記第１ユニットは、前記情報により、前記ｌｅｇａｃｙ  ｃｏｎｔｒｏｌ  ｒｅｇｉｏｎにおいて、前記サブフレームに現れた各短いＴＴＩの制御領域に用いられるリソース集合情報それぞれを通知する。
【０１０１】
好ましくは、前記短いＴＴＩの制御領域に用いられるリソース集合は、短いＴＴＩの周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【０１０２】
好ましくは、前記Ｎ個のリソースブロックグループは、連続的または離散的であり、または、前記Ｐ個のリソースブロックは、連続的または離散的である。
【０１０３】
図１１に示すように、ＵＥ側での本発明の実施例に係る第２種のチャネルリソース決定ための装置は、プロセッサ６００と、メモリ６２０と、送受信機６１０とを備える。
【０１０４】
前記プロセッサ６００は、メモリ６２０に格納されたプログラムを読み出し、短い伝送時間間隔（ＴＴＩ）の制御領域に用いられるリソース集合を決定し、前記リソース集合において、ユーザ機器の制御チャネルに用いられるリソース位置を決定する。
【０１０５】
前記送受信機６１０は、プロセッサ６００の制御によりデータを送受信する。
【０１０６】
好ましくは、プロセッサ６００は、
送受信機６１０により上位層シグナリングを受信し、上位層シグナリングにより、短いＴＴＩの制御領域に用いられるリソース集合を取得し、
または、送受信機６１０により、ｌｅｇａｃｙ  ｃｏｎｔｒｏｌ  ｒｅｇｉｏｎを受信し、ｌｅｇａｃｙ  ｃｏｎｔｒｏｌ  ｒｅｇｉｏｎに含まれる情報により、短いＴＴＩの制御領域に用いられるリソース集合を取得し、
または、ネットワーク側との事前の約定により、短いＴＴＩの制御領域に用いられるリソース集合を決定する。
【０１０７】
好ましくは、前記プロセッサ６００は、前記ユーザ機器の制御チャネルに用いられるリソース位置において、前記ユーザ機器の制御チャネルをブラインド検出する。
【０１０８】
前記送受信機６１０は、プロセッサ６００の制御によりデータを送受信する。
【０１０９】
ここで、図１１において、バスアーキテクチャは、いずれ数の相互接続するバス及びブリッジを備える。具体的に、プロセッサ６００が代表となる１つまたは複数のプロセッサ及びメモリ６２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機６１０は、複数の部品であることができ、すなわち、送信機及び受信機を備え、伝送媒体を介して他の装置と通信するユニットを提供する。異なるユーザー設備に対し、ユーザーインターフェース６３０、外部接続または内部接続に必要な設備のインターフェースであることもできる。接続する設備は、キーパッド、ディスプレー、スピーカー、マイクロホン、ジョイスティック等を備えるが、これに限られない。
【０１１０】
プロセッサ６００は、バズアーキテクチャ及び通常の処理を管理し、メモリ６２０は、プロセッサ６００動作する際に利用するデータを記憶することができる。
【０１１１】
好ましくは、前記プロセッサ６００は、ＣＰＵ、ＡＳＩＣ（Ａｐｐｌｉｃａｔｉｏｎ Ｓｐｅｃｉｆｉｃ Ｉｎｔｅｇｒａｔｅｄ Ｃｉｒｃｕｉｔ）、ＦＰＧＡ（Ｆｉｅｌｄ−Ｐｒｏｇｒａｍｍａｂｌｅ Ｇａｔｅ Ａｒｒａｙ）またはＣＰＬＤ（Ｃｏｍｐｌｅｘ  Ｐｒｏｇｒａｍｍａｂｌｅ  Ｌｏｇｉｃ  Ｄｅｖｉｃｅ）とすることができる。
【０１１２】
図１２に示すように、基地局側での本発明の実施例に係る第２種のリソースマッピングための装置は、プロセッサ５００と、メモリ５２０と、送受信機５１０とを備える。
【０１１３】
前記プロセッサ５００は、メモリ５２０に格納されたプログラムを読み出し、ユーザ機器の短い伝送時間間隔（ＴＴＩ）の制御領域に用いられるリソース集合を決定し、
前記リソース集合に基づき、前記ユーザ機器のために、短いＴＴＩの制御チャネルをリソースにマッピングする。
【０１１４】
前記送受信機５１０は、プロセッサ５００の制御によりデータを送受信する。
【０１１５】
好ましくは、前記リソース集合は、前記ユーザ機器と事前に約定されたリソース集合である。
【０１１６】
好ましくは、前記プロセッサは、送受信機５１０により、前記リソース集合を前記ユーザ機器に通知する。
【０１１７】
好ましくは、前記プロセッサ５００は、
上位層シグナリングにより、前記ユーザ機器の短いＴＴＩの制御領域に用いられるリソース集合を、前記ユーザ機器に通知するように、送受信機５１０を制御する。
【０１１８】
または、ｌｅｇａｃｙ  ｃｏｎｔｒｏｌ  ｒｅｇｉｏｎに含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知するように、送受信機５１０を制御する。
【０１１９】
好ましくは、プロセッサ５００は、上位層シグナリングにより、前記ユーザ機器の短いＴＴＩの制御領域に用いられるリソース集合を、前記ユーザ機器に通知するように、送受信機５１０を制御する場合、前記上位層シグナリングにより、サブフレーム内の全ての短いＴＴＩの制御領域が同じリソース集合に含まれることを、通知し、または、前記上位層シグナリングにより、サブフレーム内の各短いＴＴＩの制御領域に用いられるリソース集合を通知する。
【０１２０】
好ましくは、プロセッサ５００は、ｌｅｇａｃｙ  ｃｏｎｔｒｏｌ  ｒｅｇｉｏｎに含まれる情報により、前記ｌｅｇａｃｙ  ｃｏｎｔｒｏｌ  ｒｅｇｉｏｎ所在のサブフレーム内の前記ユーザ機器の短いＴＴＩの制御領域に用いられるリソース集合を通知するように、送受信機５１０を制御する場合、前記サブフレーム内の全ての短いＴＴＩの制御領域のリソース集合は、前記情報により指定されるか、または、前記情報により、前記ｌｅｇａｃｙ  ｃｏｎｔｒｏｌ  ｒｅｇｉｏｎにおいて、前記サブフレームに現れた各短いＴＴＩの制御領域に用いられるリソース集合情報それぞれを通知する。
【０１２１】
好ましくは、前記短いＴＴＩの制御領域に用いられるリソース集合は、短いＴＴＩの周波数領域上のＮ個のリソースブロックグループまたはＰ個のリソースブロックより構成され、各リソースブロックグループにはＭ個のリソースブロックが含まれ、Ｎ、Ｐ、Ｍは正整数である。
【０１２２】
好ましくは、前記Ｎ個のリソースブロックグループは、連続的または離散的であり、または、前記Ｐ個のリソースブロックは、連続的または離散的である。
【０１２３】
ここで、図１２において、バスアーキテクチャは、いずれ数の相互接続するバス及びブリッジを備える。具体的に、プロセッサ５００が代表となる１つまたは複数のプロセッサ及びメモリ５２０が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースはインターフェースを提供する。送受信機５１０は、複数の部品であることができ、すなわち、送信機及び送受信機を備え、伝送媒体において、たの装置と通信するユニットを提供する。プロセッサ５００は、バズアーキテクチャ及び通常の処理を管理し、メモリ５２０は、プロセッサ５００動作する際に利用するデータを記憶することができる。
【０１２４】
プロセッサ５００は、ＣＰＵ、ＡＳＩＣ、ＦＰＧＡまたはＣＰＬＤとすることができる。
【０１２５】
要約すると、本発明の実施例に係る，上位層シグナリングにより、ＵＥに、ＵＥの所在の短いＴＴＩの制御領域に占有された周波数領域リソースを通知するか、または、ｌｅｇａｃｙ  ｃｏｎｔｒｏｌ  ｒｅｇｉｏｎにおいて送信する情報ｂitにより、ＵＥに、ＵＥの所在の短いＴＴＩの制御領域に占有された周波数領域リソースを通知するか、または短いＴＴＩの制御領域は、固定の周波数領域リソースに分布され、事前定義により、決定されることができる。こうして、ユーザ機器は、短いＴＴＩの制御領域に用いられるリソース集合を決定し、前記リソース集合において前記ユーザ機器の制御チャネルに用いられるリソース位置を決定し、後続の前記ユーザ機器の制御チャネルに用いられるリソース位置において、前記ユーザ機器の制御チャネルをブラインド検出することができるようになる。
【０１２６】
本分野の技術者として、本発明の実施形態が、方法、システムまたはいはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つまたはいは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０１２７】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、またはいは他のプログラム可能なデータ処理装置設備の処理装置器に提供でき、コンピュータまたはいは他のプログラム可能なデータ処理装置のプロセッサは、これらのコンピュータプログラム指令を実行し、フロー図における一つまたはいは複数のフローおよび／またはブロック図における一つまたはいは複数のブロックに指定する機能を実現する。
【０１２８】
これらのコンピュータプログラム指令は又、コンピュータまたはいは他のプログラム可能なデータ処理装置を特定形態で動作させるコンピュータ読取記憶装置に記憶できる。これによって、指令を含む装置は当該コンピュータ読取記憶装置内の指令を実行でき、フロー図における一つまたはいは複数のフローおよび／またはブロック図における一つまたはいは複数のブロックに指定する機能を実現する。
【０１２９】
これらコンピュータプログラム指令はさらに、コンピュータまたはいは他のプログラム可能なデータ処理装置設備に実装もできる。コンピュータプログラム指令が実装されたコンピュータまたはいは他のプログラム可能設備は、一連の操作ステップを実行することによって、関連の処理を実現し、コンピュータまたはいは他のプログラム可能な設備において実行される指令によって、フロー図における一つまたはいは複数のフローおよび／またはブロック図における一つまたはいは複数のブロックに指定する機能を実現する。
【０１３０】
上述した実施形態に記述された技術的な解決手段を改造し、またはいはその中の一部の技術要素を置換することもできる。そのような、改造と置換は本発明の各実施形態の技術の範囲から逸脱するとは見なされない。
【０１３１】
無論、当業者によって、上述した実施形態に記述された技術的な解決手段を改造し、またはいはその中の一部の技術要素を置換することもできる。そのような、改造と置換は本発明の各実施形態の技術の範囲から逸脱するとは見なされない。そのような改造と置換は、すべて本発明の請求の範囲に属する。
【０１３２】
本出願は、２０１６年０８月０９日に中国特許局に提出し、出願番号が２０１６１０６４９１３８.３であり、発明名称が「チャネルリソース決定及びリソースマッピングための方法及び装置」との中国特許出願を基礎とする優先権を主張し、その開示の総てをここに取り込む。
【符号の説明】
【０１３３】
１１  第１決定ユニット
１２  第２決定ユニット
２１  第１ユニット
２２  第２ユニット
５００  プロセッサ
５１０  送受信機
５２０  メモリ
６００  プロセッサ
６１０  送受信機
６２０  メモリ
６３０  ユーザーインターフェース
【図１】
2019530377.tif 000007
【図２】
2019530377.tif 000008
【図３】
2019530377.tif 000009
【図４】
2019530377.tif 000010
【図５】
2019530377.tif 000011
【図６（ａ）】
2019530377.tif 000012
【図６（ｂ）】
2019530377.tif 000013
【図７（ａ）】
2019530377.tif 000014
【図７（ｂ）】
2019530377.tif 000015
【図７（ｃ）】
2019530377.tif 000016
【図８（ａ）】
2019530377.tif 000017
【図８（ｂ）】
2019530377.tif 000018
【図９】
2019530377.tif 000019
【図１０】
2019530377.tif 000020
【図１１】
2019530377.tif 000021
【図１２】
2019530377.tif 000022
【手続補正書】
【提出日】平成31年2月6日(2019.2.6)
【手続補正１】
【補正対象書類名】特許請求の範囲
【補正対象項目名】全文
【補正方法】変更
【補正の内容】
【特許請求の範囲】
【請求項１】
ユーザ機器は、伝送時間間隔が短い制御領域に用いられるリソース集合を決定するステップと、
前記ユーザ機器は、前記リソース集合において、前記ユーザ機器の制御チャネルに用いられるリソース位置を決定することを特徴とするチャネルリソース決定ための方法。
【請求項２】
前記ユーザ機器は、伝送時間間隔が短い制御領域に用いられるリソース集合を決定する場合、
前記ユーザ機器は、上位層シグナリングにより、伝送時間間隔が短い制御領域に用いられるリソース集合を取得し、
または、前記ユーザ機器は、レガシー制御領域（ｌｅｇａｃｙ  ｃｏｎｔｒｏｌ  ｒｅｇｉｏｎ）において伝送されるＰＤＣＣＨに含まれる情報により、伝送時間間隔が短い制御領域に用いられるリソース集合を取得し、
または、前記ユーザ機器は、ネットワーク側との事前の約定により、伝送時間間隔が短い制御領域に用いられるリソース集合を決定することを特徴とする請求項１に記載のチャネルリソース決定ための方法。
【請求項３】
前記ユーザ機器は、前記ユーザ機器の制御チャネルに用いられるリソース位置において、前記ユーザ機器の制御チャネルをブラインド検出することを特徴とする請求項１に記載のチャネルリソース決定ための方法。
【請求項４】
基地局は、ユーザ機器の伝送時間間隔が短い制御領域に用いられるリソース集合を決定し、
前記基地局は、前記リソース集合に基づき、前記ユーザ機器のために、短い伝送時間間隔場合の制御チャネルをリソースにマッピングすることを特徴とするリソースマッピングための方法。
【請求項５】
前記リソース集合は、前記ユーザ機器と事前に約定されたリソース集合であることを特徴とする請求項４に記載のリソースマッピングための方法。
【請求項６】
前記基地局は、前記リソース集合を前記ユーザ機器に通知することを特徴とする請求項４に記載のリソースマッピングための方法。
【請求項７】
前記基地局は、前記リソース集合を前記ユーザ機器に通知する場合、
前記基地局は、上位層シグナリングにより、前記ユーザ機器の伝送時間間隔が短い制御領域に用いられるリソース集合を前記ユーザ機器に通知し、
または、前記基地局は、レガシー制御領域（ｌｅｇａｃｙ  ｃｏｎｔｒｏｌ  ｒｅｇｉｏｎ）において伝送されるＰＤＣＣＨに含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知することを特徴とする請求項６に記載のリソースマッピングための方法。
【請求項８】
前記基地局は、上位層シグナリングにより、前記ユーザ機器の伝送時間間隔が短い制御領域に用いられるリソース集合を前記ユーザ機器に通知する場合、前記上位層シグナリングにより、サブフレーム内の全ての伝送時間間隔が短い制御領域が同一のリソース集合に存在することを通知し、または、前記上位層シグナリングにより、サブフレーム内の各伝送時間間隔が短い制御領域に用いられるリソース集合を通知することを特徴とする請求項７に記載のリソースマッピングための方法。
【請求項９】
前記基地局が、レガシー制御領域（ｌｅｇａｃｙ  ｃｏｎｔｒｏｌ  ｒｅｇｉｏｎ）において伝送されるＰＤＣＣＨに含まれる情報により、前記ｌｅｇａｃｙ  ｃｏｎｔｒｏｌ  ｒｅｇｉｏｎ所在のサブフレーム内の前記伝送時間間隔が短い制御領域に用いられるリソース集合を通知する場合、前記サブフレーム内の全ての伝送時間間隔が短い制御領域に用いられるリソース集合は、前記情報により指定され、または、前記情報により、前記ｌｅｇａｃｙ  ｃｏｎｔｒｏｌ  ｒｅｇｉｏｎにおいて、前記サブフレームに現れた各伝送時間間隔が短い制御領域に用いられるリソース集合情報それぞれを通知することを特徴とする請求項７に記載のリソースマッピングための方法。
【請求項１０】
前記伝送時間間隔が短い制御領域に用いられるリソース集合は、伝送時間間隔が短い周波数領域上のＮ個のリソースブロックグループまたはＰ個のリソースブロックより構成され、各リソースブロックグループにはＭ個のリソースブロックが含まれ、Ｎ、Ｐ、Ｍは正整数であり、前記Ｎ個のリソースブロックグループは、連続的または離散的であり、または、前記Ｐ個のリソースブロックは、連続的または離散的であるることを特徴とする請求項４ないし請求項９のいずれか１項に記載のリソースマッピングための方法。
【請求項１１】
伝送時間間隔が短い制御領域に用いられるリソース集合を決定する第１決定ユニットと、
前記リソース集合において、ユーザ機器の制御チャネルに用いられるリソース位置を決定する第２決定ユニットとを備えることを特徴とするチャネルリソース決定ための装置。
【請求項１２】
前記第１決定ユニットは、
上位層シグナリングにより、伝送時間間隔が短い制御領域に用いられるリソース集合を取得し、
または、レガシー制御領域（ｌｅｇａｃｙ  ｃｏｎｔｒｏｌ  ｒｅｇｉｏｎ）に含まれる情報により、伝送時間間隔が短い制御領域に用いられるリソース集合を取得し、
または、ネットワーク側との事前の約定により、伝送時間間隔が短い制御領域に用いられるリソース集合を決定することを特徴とする請求項１１に記載のチャネルリソース決定ための装置。
【請求項１３】
前記第２決定ユニットは、前記ユーザ機器の制御チャネルに用いられるリソース位置において、前記ユーザ機器の制御チャネルをブラインド検出することを特徴とする請求項１１に記載のチャネルリソース決定ための装置。
【請求項１４】
ユーザ機器の伝送時間間隔が短い制御領域に用いられるリソース集合を決定する第１ユニットと、
前記リソース集合に基づき、前記ユーザ機器のために、短い伝送時間間隔場合の制御チャネルをリソースにマッピングする第２ユニットとを備えることを特徴とするリソースマッピングための装置。
【請求項１５】
前記第１ユニットは、前記リソース集合を前記ユーザ機器に通知し、
前記第１ユニットは、
上位層シグナリングにより、前記ユーザ機器の伝送時間間隔が短い制御領域に用いられるリソース集合を前記ユーザ機器に通知し、
または、レガシー制御領域（ｌｅｇａｃｙ  ｃｏｎｔｒｏｌ  ｒｅｇｉｏｎ）に含まれる情報により、前記ｌｅｇａｃｙ  ｃｏｎｔｒｏｌ  ｒｅｇｉｏｎ所在のサブフレーム内の前記ユーザ機器の伝送時間間隔が短い制御領域に用いられるリソース集合を通知することを特徴とする請求項１４に記載のリソースマッピングための装置。
【国際調査報告】
2019530377.tif 000023
2019530377.tif 000024
2019530377.tif 000025
2019530377.tif 000026